(57)【要約】【課題】  液晶表示装置のバックライトユニットを構成するフィルム部材の固定において十分な強度を有するバックライトユニット及び、前記バックライトユニットを構成するフィルム部材を固定する方法を提供すること。【解決手段】  本発明にかかるバックライトユニットは、枠状の反射ケース３に、外縁部が載置された状態においてフィルム部材２が枠状の遮光両面テープ１により固定されたバックライトユニットであって、遮光両面テープ１に、フィルム部材２の外縁部と枠状の反射ケース３の双方と接着するとともに、少なくともその一辺において枠状の反射ケース３の外側面まで延在して接着される延在部１ｂを設ける。【選択図】図３
2005243572.tif 000002
【特許請求の範囲】
【請求項１】
枠状の反射ケースに、外縁部が載置された状態においてフィルム部材が枠状の遮光テープにより固定されたバックライトユニットであって、
前記遮光テープは、前記フィルム部材の外縁部と前記反射ケースの双方と接着されているとともに、少なくともその一辺において前記枠状の反射ケースの外側面まで延在して接着される延在部を有するバックライトユニット。
【請求項２】
前記遮光テープの延在部は、前記反射ケースの下面まで延在して接着されていることを特徴とする請求項１記載のバックライトユニット。
【請求項３】
前記バックライトユニットは、前記反射ケースの下面に接して設けられた反射シートをさらに備え、
前記遮光テープの延在部は、前記反射シートと接着して、当該反射シートが前記反射ケースに固定されていることを特徴とする請求項２記載のバックライトユニット。
【請求項４】
前記バックライトユニットは、前記反射ケースの下面に接して設けられた反射シートをさらに備え、
前記反射ケースの下面は、遮光テープの外面が前記反射シートの下面と略同一面か又は内側となるように切り欠かれた切り欠き部を有し、当該切り欠き部に前記遮光テープの延在部が位置することを特徴とする請求項２記載のバックライトユニット。
【請求項５】
前記反射ケースの外側面は、前記遮光テープの外面が当該反射ケースの外側面と略同一面か又は内側に位置するように切り欠かれた切り欠き部を有することを特徴とする請求項１記載のバックライトユニット。
【請求項６】
前記遮光テープの延在部は、対向する両辺のそれぞれに設けられたことを特徴とする請求項１乃至５記載のバックライトユニット。
【請求項７】
バックライトにおいて、枠状の反射ケースにフィルム部材をその外縁部が載置された状態において枠状の遮光テープにより固定する方法であって、
前記遮光テープの少なくとも一辺より突出した突出部を前記枠状の反射ケースの外側面まで接着することによって、フィルム部材を固定するフィルム部材の固定方法。
【発明の詳細な説明】
【技術分野】
【０００１】
本発明は、バックライトユニット及びフィルム部材の固定方法に関し、より詳細には、反射ケースへのフィルム部材の枠状遮光テープによる固定方法に関する。
【背景技術】
【０００２】
図７は液晶表示パネル（図示せず）の背面照明として用いられている従来のバックライトユニットの構造を示す分解斜視図である。図に示されるように、このバックライトユニットでは、反射ケース３にフィルム部材２と導光板４が収容される。そして枠状遮光両面テープ１によって、フィルム部材２が反射ケース３に固定される。反射ケース３の下面には反射シート５が貼り付けられている。この枠状遮光両面テープ１は、液晶表示パネルの表示領域の周辺端部で急激に輝度が高くなる輝度ムラを防止する遮光部材として機能する。このような従来の液晶表示装置の構成は例えば特許文献１に記載されている。
【０００３】
図８に従来のバックライトユニットの上面図を示す。図８において、Aはフィルム部材２と枠状遮光両面テープ１とのオーバーラップ部（以下、糊代Aとする）であり、Bは枠状遮光両面テープ１と反射ケース３とのオーバーラップ部（以下、糊代Bとする）である。図８のように、遮光両面テープ１の内周寸法はフィルム部材２の外周寸法よりも一回り小さく、且つ外周寸法は一回り大きくできており、その余白部、すなわち糊代Ｂをもって反射ケースへの糊代としていた。
【０００４】
【特許文献１】特開２００１−９１９４５号公報
【発明の開示】
【発明が解決しようとする課題】
【０００５】
上記のように、従来の液晶表示装置等では、糊代Bをもってフィルム部材を枠状の反射ケースへ固定していた。しかしながら、近年の液晶表示装置の有効表示面積の大画面化及びその周辺部の狭額縁化に伴い、糊代Bを十分に確保する事が困難となってきており、前記フィルム部材や前記反射ケースの下面に接して設けられた反射シート等の、バックライトユニットを構成するフィルム部材を固定するために十分な強度を得られないという問題があった。
【０００６】
本発明の目的は、かかる問題を解消し、液晶表示装置等のバックライトユニットを構成するフィルム部材の固定において十分な強度を有するバックライトユニット及び、前記バックライトユニットを構成するフィルム部材を固定する方法を提供することにある。
【課題を解決するための手段】
【０００７】
本発明にかかるバックライトユニットは、枠状の反射ケースに、外縁部が載置された状態においてフィルム部材が枠状の遮光テープにより固定されたバックライトユニットであって、前記遮光テープは、前記フィルム部材の外縁部と前記枠状の反射ケースの双方と接着されているとともに、少なくともその一辺において前記枠状の反射ケースの外側面まで延在して接着される延在部を有するバックライトユニットである。このような構成により、前記バックライトユニットを構成する部材の固定において十分な強度の確保を図ることができる。
【０００８】
さらに、前記遮光テープの延在部は、前記反射ケースの下面まで延在して接着されていてもよい。このような構成により、前記バックライトユニットを構成する部材の固定においてさらに十分な強度の確保を図ることができる。
【０００９】
また、前記バックライトユニットは、前記反射ケースの下面に接して設けられた反射シートをさらに備え、前記遮光テープの延在部は、前記反射シートと接着して、当該反射シートを前記反射ケースに固定するようにしてもよい。このような構成により、フィルム部材のみならず、反射シートも同一の部材により固定することができる。
【００１０】
ここで、前記バックライトユニットは、前記反射ケースの下面に接して設けられた反射シートをさらに備え、前記反射ケースの下面は、前記反射シートの下面と、前記遮光テープの外面とが略同一面か又は内側となるように切り欠かれた切り欠き部を有し、当該切り欠き部に前記遮光テープの延在部が位置するようにしてもよい。このような構成により、前記バックライトユニットを構成する部材の固定において十分な強度の確保を図ると共に、前記遮光テープの延在による外寸の肥大化を防ぐ事ができる。
【００１１】
もしくは、前記反射ケースの外側面に、前記遮光テープの外面が当該反射ケースの外側面と略同一面又は内側に位置するように切り欠かれた切り欠き部を有してもよい。このような構成により、前記バックライトユニットを構成する部材の固定において十分な強度の確保を図ると共に、前記遮光テープの延在による外寸の肥大化を防ぐ事ができる。
【００１２】
他方、前記遮光テープの延在部は、対向する両辺のそれぞれに設けてもよい。このような構成により、前記バックライトユニットを構成する部材の固定において十分な強度の確保をさらに図ることができる。
【００１３】
本発明にかかるバックライトユニットを構成する部材の固定方法は、バックライトにおいて、枠状の反射ケースにフィルム部材をその外縁部が載置された状態において枠状の遮光テープにより固定する方法であって、前記遮光テープの少なくとも一辺より突出した突出部を前記枠状の反射ケースの外側面まで接着することによって、フィルム部材を固定するフィルム部材の固定方法である。このような方法により、前記バックライトユニットを構成する部材の固定において十分な強度の確保を図ることができる。
【発明の効果】
【００１４】
本発明によれば、液晶表示装置のバックライトユニットを構成するフィルム部材の固定において十分な強度を有するバックライトユニット及び、前記バックライトユニットを構成するフィルム部材を固定する方法を提供することができる。
【発明を実施するための最良の形態】
【００１５】
発明の実施の形態１．
まず、図１、図２を用いて、本発明の実施の形態１にかかるバックライトユニットの構成について説明する。図１は本発明の実施の形態にかかるバックライトユニットを真上から見た図、図２は遮光両面テープ１の延在部１１または１２を有する辺の断面図である。本発明の実施の形態にかかるバックライトユニットは図１に示されるように左右方向に対向する辺のそれぞれに遮光両面テープ１の延在部１１、１２が設けられているが、少なくともその１辺において設けられていればよい。図２に示されるように本発明の実施の形態にかかるバックライトユニットは、遮光両面テープ１、フィルム部材２、反射ケース３、導光板４、反射シート５から構成される。フィルム部材２には、光源からの光線を表示面画面上に均一に拡散させる拡散フィルムやその他の光学フィルムが含まれる。また、１ａは遮光両面テープ１の上面部であり、１ｂは外側面延在部、１ｃは下面延在部である。すなわち本実施の形態においてはフィルム部材２の周辺端部及び反射ケース３の上面、外側面、下面及び反射シート５端部に貼り付けられた遮光両面テープ１の延在部１１および１２で、フィルム部材２と反射シート５を反射ケース３に固定している。遮光両面テープは遮光性を有していれば良く、必ずしも黒色である必要はない。
【００１６】
本実施の形態で用いた遮光両面テープ１は、図２に示すようにフィルム部材２の周辺端部及び反射ケース３の上面、外側面、下面及び反射シート５の外面端部を覆うように貼り付けられ、遮光両面テープ上面部１aおよび外側面延在部１ｂでフィルム部材２を反射ケース３に固定し、延在部１ｃで反射ケース３に反射シート５を固定するものであり、発光面であるフィルム部材２周辺端部、すなわち液晶表示素子の表示領域の周辺端部に発生する輝線を防止すると共に、フィルム部材２のずれを防止する２つの機能を有するものである。
【００１７】
本実施の形態によれば、遮光両面テープ１は延在部１１および１２を有することにより、従来のように反射ケース３の上面のみでなく、遮光両面テープ外側面延在部１ｂによって外側面を、遮光両面テープ下面延在部１ｃによって下面を、さらには反射シート５の端部にまで延在して接着されているので、近年の液晶表示装置の有効表示面積の大画面化及びその周辺部の狭額縁化に伴う接着面積の縮小化に対し、従来のような反射ケース３上面のみでの接着よりも、より強度を確保した状態でフィルム部材２と反射ケース３を固定し、さらには反射シート５まで固定することができるものである。
【００１８】
発明の実施の形態２．
次に発明の実施の形態２にかかるバックライトユニットの構成について図３を用いて説明する。尚、本発明の実施の形態についてのバックライトユニットの全体の構成については実施の形態１と同様であるため説明を省略するが、遮光両面テープ延在部１１および１２が反射ケース３の外側面、すなわち延在部１ｂを備えている事に特徴を有する。
【００１９】
本実施の形態によれば、実施の形態１が遮光両面テープ延在部１１および１２を反射ケース３下面まで回りこませるのに対し、反射ケース３外側面までである事により作業工程の簡略化による低コスト化を図ることができる。さらに、遮光両面テープ延在部１１および１２を反射ケース３下面へ回りこませる事による、下面への外寸の肥大化をなくす事ができる。
【００２０】
発明の実施の形態３．
次に発明の実施の形態３にかかるバックライトユニットについて図４を用いて説明する。尚、本発明の実施の形態についてのバックライトユニットの全体の構成については実施の形態１と同様であるため説明を省略するが、遮光両面テープ下面延在部１ｃが反射シート５端部にかからず反射ケース３の下面までであり、反射ケース３の下面は、反射シート５の下面と遮光両面テープ１の下面延在部１ｃとが略同一面となるように切り欠かれた下面切り欠き部３aを有し、下面切り欠き部３ａに遮光両面テープ１の下面延在部１ｃが位置している事に特徴を有する。
【００２１】
本実施の形態によれば、実施の形態１では遮光両面テープ延在部１１および１２が反射シート５端部まで延在するのに対し、反射ケース３下面までである。反射ケース３の下面に反射シート５の下面と遮光両面テープ１の下面延在部１ｃの外面とが略同一面となるように切り欠かれた切り欠き部３ａを有する事により、遮光テープ１の延在による外寸の肥大化を防ぐ事ができる。尚、遮光両面テープの下面延在部１ｃがさらに反射シート５の下面よりも内側に位置するように切り欠き部３ａを設けるようにしてもよい。
【００２２】
発明の実施の形態４．
次に発明の実施の形態４にかかるバックライトユニットについて図５を用いて説明する。尚、この発明の実施の形態４にかかるバックライトユニットの構成は実施の形態１から３のいずれかに示す１つと同様であるとし、説明を省略する。
【００２３】
図５に示す図は、本発明の実施の形態にかかるバックライトユニットを真上から見た図であり、AA'より下部については遮光両面テープ１を透過して表示している。３ｂは反射ケース３の外側面切り欠き部であり、反射ケース切り欠き部３ｂは遮光両面テープ延在部１２の外面が反射ケース３の外側面と略同一面か又は内側に位置するように設けられている事に特徴を有する。
【００２４】
本実施の形態によれば、反射ケース３の外側面に、遮光両面テープ１の延在部１１および１２の外面が反射ケース３の外側面と同じか又は内側に位置するように切り欠かれた切り欠き部３ｂを設けることにより、遮光テープ１の延在部１２による外寸の肥大化を防ぐ事ができる。
【００２５】
発明の実施の形態５．
次に発明の実施の形態５にかかるバックライトユニットについて図６を用いて説明する。尚、この発明の実施の形態５にかかるバックライトユニットの構成は実施の形態１から４のいずれかの構成と同様であるとし、説明を省略する。
【００２６】
図６に示す図は、本発明の実施の形態にかかるバックライトユニットを真上から見た図であり、１１、１２、１３はそれぞれ遮光両面テープ１の延在部である。図６に示すように図１においては左右方向に対向する２辺のみであった延在部が３辺である事に特徴を有する。このような構成により、実施の形態１〜４よりも更に、バックライトユニットを構成するフィルム部材の固定において強度の確保を図ることができる。
【００２７】
その他の実施の形態．
上述の例では、フィルム部材２を固定するために遮光両面テープ１を用いたが、必ずしも両面テープである必要はなく、片面のみ接着性を有するものであってもよい。本発明では、反射ケース３の角部において、遮光両面テープ１を折り曲げる必要があるが、この折り曲げ部において確実に折り曲がるように点線状に切断されたミシン目を設けるようにしてもよい。
【図面の簡単な説明】
【００２８】
【図１】本発明の実施形態にかかるバックライトユニットを真上から見た図である。
【図２】本発明の実施形態にかかるバックライトユニットの部分断面図である。
【図３】本発明の他の実施形態にかかるバックライトユニットの部分断面図である
【図４】本発明の他の実施形態にかかるバックライトユニットの部分断面図である
【図５】本発明の他の実施形態にかかるバックライトユニットを真上から見た部分説明図である。
【図６】本発明の他の実施形態にかかるバックライトユニットを真上から見た図である。
【図７】従来のバックライトユニットの構成を表す分解斜視図である。
【図８】従来のバックライトユニットを真上から見た図である。
【符号の説明】
【００２９】
１    遮光両面テープ
１ａ    遮光両面テープ上面部
１ｂ    遮光両面テープ外側面延在部
１ｃ    遮光両面テープ下面延在部
１１    遮光両面テープ延在部
１２    遮光両面テープ延在部
２    フィルム部材
３    反射ケース
３ａ    反射ケース下面切り欠き部
３ｂ    反射ケース外側面切り欠き部
４    導光板
５    反射シート
【図１】
2005243572.tif 000003
【図２】
2005243572.tif 000004
【図３】
2005243572.tif 000005
【図４】
2005243572.tif 000006
【図５】
2005243572.tif 000007
【図６】
2005243572.tif 000008
【図７】
2005243572.tif 000009
【図８】
2005243572.tif 000010